(57)【要約】【課題】前仕切壁の上部から前仕切壁の前面視円形な外周面に接触して下方に落下する球を前仕切壁から斜め下方の遊技領域に放出させる。【解決手段】開閉体９が閉じられると前仕切壁に連なる環状を形成し、球が開閉体９および前仕切壁６の外側から前仕切壁６で囲まれた内部領域に取り込めないようになり、障害突起７が前仕切壁６における仮想線Ｌ１：Ｌ２との間の外周面から径方向外側に山形に突出し、障害突起７の上面が前仕切壁６の外周面からから径方向外側に行くにしたがって下り勾配になっているので、遊技領域３７を流下する球が前仕切壁６における開閉体９の側の上部から前仕切壁６の外周面に接触して下方に落下した場合、当該前仕切壁６の外周面に接触して落下する球は、前仕切壁６の外周面から障害突起７の上面に衝突し、障害突起７の上面から斜め下方に向けて遊技領域３７に放出された後、遊技領域３７をあちらこちらと飛び交うようになる。【選択図】図１
2008036105.tif 000002
【特許請求の範囲】
【請求項１】
遊技基盤の遊技領域に取り付けられる可変入賞装置であって、遊技領域から球を進入させない内部領域を囲む前面視円環状の前仕切壁と、遊技領域から球を内部領域に進入させるために前仕切壁に設けられた球取入口部と、球取入口部を遊技領域から球を取り込めないように閉鎖したり遊技領域から球を取り込めるように開放したりするように球取入口部に設けられた開閉体と、前仕切壁の前面視円形な外周面に設けられた障害突起と、内部領域の球を外れ球として取り込むことの可能なように内部領域に設けられた外れ球取入部と、内部領域の球を当たり球として取り込むことの可能なように内部領域に設けられた当たり球取入部とを備え、開閉体が球取入口部を閉鎖するように閉じられた場合に前仕切壁に連なる環状を形成し、障害突起が前仕切壁の上部から前仕切壁の外周面に接触して下方に落下する球の加速される領域における前仕切壁の外周面から径方向外側に突出し、障害突起の上面が前仕切壁の外周面から径方向外側に行くにしたがって下り勾配に形成されたことを特徴とするパチンコ遊技機の可変入賞装置。
【発明の詳細な説明】
【技術分野】
【０００１】
本発明は、前仕切壁の上部から前仕切壁の前面視円形な外周面に接触して下方に落下する球を前仕切壁から斜め下方の遊技領域に放出させるパチンコ遊技機の可変入賞装置に関する。
【背景技術】
【０００２】
図３は、特許文献１で開示されたパチンコ遊技機を示す。このパチンコ遊技機では、遊技盤３１が遊技機枠３２に格納され、パチンコ球と呼ばれる球が球受皿３３に入れられ、遊技者が球発射操作機構３４を右回りに操作すると、球発射機構３５が球発射操作機構３４の操作量に応じた発射力で駆動し、球発射機構３５が球受皿３３から遊技機枠３２の内部に取り込まれた球を１個ずつガイドレール３６で囲まれた遊技領域３７に向けて発射する。そして、遊技領域３７に到達した球が遊技領域３７を流下する過程において、始動装置３８や可変入賞装置３９および遊技釘４０などの遊技部品に衝突して流れる方向を変えながら可変入賞装置３９に入ると、賞球としての球が球受皿３３に払い出され、可変入賞装置３９に入らずに遊技領域３７の最下部に到達した球はアウト口４１から遊技盤３１の裏側に取り込まれる。遊技領域３７、始動装置３８、可変入賞装置３９、アウト口４１、遊技領域３７を流下する球などが、遊技機枠３２の前面の素通しガラス製の前面パネル４２や前面パネル４２で塞がれた窓４３を通して、遊技者から見られる。遊技領域３７の中央部に設けられた可変入賞装置３９は、前仕切壁４４で囲まれた内部にモータで駆動される回転体４５を備え、球が遊技領域３７から前仕切壁４４の外側に設けられた球入口４６を経由して回転体４５の複数の凹部４７の１つに取り込まれると、凹部４７に取り込まれた球が回転体４５の回転に伴い当たり球入口４８または外れ球入口４９のどちらかに入るように振り分けるようになっている。しかしながら、前仕切壁４４の外周面が前面視円形に構成されている。このため、遊技領域３７を流下する球が前仕切壁４４の外周面に接触して下方に落下した場合、当該前仕切壁４４の外周面に接触して落下する球は、遊技釘４０に衝突しながら遊技領域３７を流下する球に比べて、前仕切壁４４の上部から前仕切壁４４の水平方向の直径を通る直線と交わる側部に近づくにしたがい加速されて遊技領域３７をあちらこちらと飛び交うことなく落下するので、遊技性に欠けるという欠点がある。
【特許文献１】特開平８−２０６２９１号公報
【発明の開示】
【発明が解決しようとする課題】
【０００３】
発明が解決しようとする問題点は、球が遊技領域を飛び交うがなく前仕切壁における前面視円形の外周面に接触して落下し、遊技性に欠けるという点である。
【課題を解決するための手段】
【０００４】
本発明に係るパチンコ遊技機の可変入賞装置は、遊技基盤の遊技領域に取り付けられる可変入賞装置であって、遊技領域から球を進入させない内部領域を囲む前面視円環状の前仕切壁と、遊技領域から球を内部領域に進入させるために前仕切壁に設けられた球取入口部と、球取入口部を遊技領域から球を取り込めないように閉鎖したり遊技領域から球を取り込めるように開放したりするように球取入口部に設けられた開閉体と、前仕切壁の前面視円形な外周面に設けられた障害突起と、内部領域の球を外れ球として取り込むことの可能なように内部領域に設けられた外れ球取入部と、内部領域の球を当たり球として取り込むことの可能なように内部領域に設けられた当たり球取入部とを備え、開閉体が球取入口部を閉鎖するように閉じられた場合に前仕切壁に連なる環状を形成し、障害突起が前仕切壁の上部から前仕切壁の外周面に接触して下方に落下する球の加速される領域における前仕切壁の外周面から径方向外側に突出し、障害突起の上面が前仕切壁の外周面から径方向外側に行くにしたがって下り勾配に形成されたことを最も主要な特徴とする。
【発明の効果】
【０００５】
本発明に係るパチンコ遊技機の可変入賞装置は、開閉体が球取入口部を閉鎖するように閉じられた場合、開閉体が前仕切壁に連なる環状を形成し、球取入口部が球を開閉体および前仕切壁の外側から前仕切壁で囲まれた内部領域に取り込めないようになり、遊技領域を流下する球が前仕切壁における開閉体の側の上部から前仕切壁の外周面に接触して下方に落下した場合、当該前仕切壁の外周面に接触して落下する球は、前仕切壁の上部から前仕切壁の外周面に接触して下方に落下する球の加速される領域において、前仕切壁の外周面から障害突起の上面に衝突し、前仕切壁の外周面に接触して落下する球の速度が緩和されるという利点があるうえ、該障害突起の上面が下り勾配になっているので、障害突起が球から受ける衝撃が緩和されるという利点があり、障害突起の上面に衝突した球は、障害突起の上面から斜め下方に向けて遊技領域に放出された後、遊技領域をあちらこちらと飛び交うことになり、遊技領域での球の飛び交いによる遊技性に富むという利点がある。
【発明を実施するための最良の形態】
【０００６】
図１および図２は、発明を実施するための最良の形態である。図１は、可変入賞装置１の正面を示す。図２は、可変入賞装置１を前側から示す。本明細書において、「前」、「表」、「後」、「裏」、「左」、「右」、「上」、「下」の方向は、図３の状態にパチンコ遊技機を置いて前側から見た場合に特定される方向である。「前」および「表」は、同じ方向である。「後」および「裏」は、同じ方向である。
【０００７】
図１および図２を参照し、パチンコ遊技機の可変入賞装置１の構造について説明する。図２および図１において、２は部品基盤、３は前開口部、４は取付孔、５は前隔壁、６は前仕切壁、７は障害突起、８は球取入口部、９は開閉体、１０は開閉軸、１１は球導入通路、１２は入球検出部、１３は入球検出器、１４は球誘導通路、１５は上球振分体、１６は振分突起、１７は前落下口、１８は球停留体、１９は停留台、２０は下球振分体、２１は当たり球取入部、２２は外れ球取入部、２３は化粧体２３はステージ２４はステージ入口２５は裏壁、３１は遊技盤、３７は遊技領域を示す。図２では、前隔壁５として入球検出部１２の周囲の部分を図示し、それ以外の部分における前隔壁５の図示は除去し、前隔壁５よりも後側に配置された部材を実線で図示した。
【０００８】
部品基盤２は、遊技盤３１に前側から取り付けられる可変入賞装置１における前側部品としての土台であって、光遮蔽性の有る有色な合成樹脂により構成される。前開口部３は、部品基盤２の中央部に前後方向への貫通孔として設けられる。取付孔４は、遊技盤３１に部品基盤２を固定する止ねじを挿入するものであって、部品基盤２の周縁部に前後方向への貫通孔として設けられる。前隔壁５は、前開口部３を塞ぐ板状であって、光透過性の有る無色な合成樹脂により構成され、部品基盤２に固定される。
【０００９】
前仕切壁６は、遊技盤３１の遊技領域３７から球を進入させない内部領域を囲むものであって、部品基盤２の前面および前隔壁５の前面から前側に突出し、前開口部３の周縁部に沿って、前隔壁５の前面を囲む前面視円環状の塀を構成する。前仕切壁６の外周面は、前面視円形に構成される。障害突起７は、前仕切壁６の外周面から径方向外側に山形に突出した突起として、前仕切壁６の外周面に設けられ、部品基盤２の前面に接触する。図１に示すように、障害突起７は、仮想線Ｌ１：Ｌ２との間に位置する。仮想線Ｌ１：Ｌ２は、障害突起７の設けられる範囲を示すために図示した線である。仮想線Ｌ１は、前仕切壁６における水平方向の直径を通る線である。仮想線Ｌ２は、前仕切壁６で囲まれた内部領域の中心Ｐから半径方向に延びる直線であって、仮想線Ｌ１よりも上方に位置する。仮想線Ｌ１：Ｌ２の挟角θ１は、３０度であって、前仕切壁６における開閉体９の側の上部から前仕切壁６の外周面に接触して下方に落下する球が加速される領域である。つまり、障害突起７は、前仕切壁６における開閉体９の側の上部から前仕切壁６の外周面に接触して下方に落下する球が加速される領域に設けられる。障害突起７の上面と仮想線Ｌ３と挟角θ２は、１５度になっている。仮想線Ｌ３は、仮想仮線Ｌ１に平行し、障害突起７の上面が前仕切壁６の外周面から径方向外側に行くにしたがって下り勾配となる角度を示すために図示した線である。
【００１０】
球取入口部８は、遊技領域３７から球を内部領域に進入させるために、前仕切壁６の上部が除去された部分として、前仕切壁６の上部に設けられる。開閉体９は、左右一対として、球取入口部８に設けられ、開閉軸１０を中心として、遊技領域３７と平行しつつ上下方向に開閉する。開閉体９が開閉軸１０を中心として図２に示すように球取入口部８を閉鎖するように閉じられた場合、開閉体９は前仕切壁６に連なる環状を形成し、球取入口部８が球を開閉体９および前仕切壁６の外側から前仕切壁６の内側における前隔壁５の前面の側に取り込めないようになる。つまり、開閉体９が閉じられた場合、開閉体９および前仕切壁６で囲まれた前隔壁５の前面が遊技盤３１の遊技領域３７から球を進入させない内部領域となる。球導入通路１１は、開閉体９が開閉軸１０を中心として図１に示すように開放された場合、上方の遊技領域３７から取り込んだ球を入球検出部１２の側に誘導するものであって、開閉体９の裏面から内部への窪みとして設けられる。
【００１１】
入球検出部１２は、開放した開閉体９の球導入通路１１から排出された球を取り込み、取り込んだ球を前隔壁５の裏側に排出するものであって、球取入口部８よりも下部で、球取入口部８の真下に位置し、前隔壁５から前側に突出して、前隔壁５に設けられる。入球検出器１３は、前隔壁５の裏側から入球検出部１２の内部に設けられ、入球検出部１２を通過する球を検出して電気的な球検出信号を図外の制御装置に出力する。球誘導通路１４は、前隔壁５の裏側において、入球検出器１３から排出された球を、前仕切壁６の裏側に沿って下方に誘導して上球振分体１５の上に排出する。上球振分体１５は、前傾状と後傾状とを交互に繰り返すように図外の駆動機構で可動する球振分体を構成し、前仕切壁６で囲まれた内部領域の上下方向の中段に位置するように前隔壁５の裏側に配置された板状に構成され、球誘導通路１４から上球振分体１５の上に排出された球を、前傾状によって後側から前側に流下させ、後傾状によって前側から後側に流下させる。前仕切壁６で囲まれた内部領域の上下方向の中段に位置するように前隔壁５の裏側に配置された板状に構成され、球誘導通路１４から排出された球を、上下動によって前後方向および左右方向に振り分ける。振分突起１６は、上球振分体１５の上面から上方に突出し、上球振分体１５の上を流下する球を当該球の衝突で左右に振り分ける突起として、上球振分体１５の上面に設けられる。前落下口１７は、前側および上下方向に開口する凹部または上下方向への貫通孔として、上球振分体１５の前部の左右方向中央部に設けられ、上球振分体１５の上を前側に流下した球を取り込んで下方に落下させる。
【００１２】
球停留体１８は、上球振分体１５と下球振分体２０との間に位置するように前隔壁５の裏側に配置され、図外の駆動機構によって前側に垂直状に起立したり後側に水平状に倒伏されたりする。球停留体１８が図１に示すように起立した場合、球停留体１８が上球振分体１５の前落下口１７から落下した球を停留台１９の上に停留するように受け止める。球停留体１８が図２に示すように倒伏した場合、停留台１９の上に停留した球が球停留体１８の上を通過して下球振分体２０の上に排出される。停留台１９は、球停留体１８と前隔壁５との間に配置される。下球振分体２０は、静止した状態で前隔壁５の裏側に配置され、前側から後側への下り勾配の斜面を構成し、球停留体１８から排出された球を前側から後側に流下させる過程で左右に振り分ける。当たり球取入部２１は、前面に開口した縦長な溝形状であって、上球振分体１５から後側または下球振分体２０から後側に排出された球を当たり球取入部２１に取り込めるように、上球振分体１５の後側および下球振分体２０の後側にわたって配置され、図外の駆動機構によって左右方向に往復移動するように駆動される。外れ球取入部２２は、上球振分体１５から後側または下球振分体２０から後側に排出された球を取り込めるように、当たり球取入部２１を左右に移動可能に配置した上方に開口した形状である。つまり、当たり球取入部２１に入らない球が外れ球取入部２２に入る。当たり球取入部２１に入った球は、当たり球取入部２１に対応して設けられた図外の当たり球検出器で検出された後に下方に排出される。外れ球取入部２２に入った球は、外れ球取入部２２に対応して設けられた図外の外れ球検出器で検出された後に下方に排出される。
【００１３】
化粧体２３は、可変入賞装置１の前側から下球振分体２０よりも下部が見えないように目隠しする有色な合成樹脂により構成され、前隔壁５の前側に設けられる。ステージ２４は、部品基盤２の前面から後側に窪むように有色な合成樹脂により構成され、部品基盤２の前面にだけ開口した空間であって、遊技領域３７からステージ入口２５を経由して取り込まれた球を、左右に自在に躍らせた後、中央の凹部から下方の遊技領域３７に落下させる。ステージ入口２５は、遊技領域３７から前仕切壁６の側に進行した球を斜め上方から下方に取り込んだ後、前側から後側に誘導してステージ２４の右または左の側部に排出する。裏壁２６は、部品基盤２から裏側に設けられた隔壁を構成する。裏壁２６の前面と上球振分体１５の後縁部および下球振分体２０の後縁部との間には、外れ球取入部２２としての空間が構成される。
【００１４】
最良の形態によれば、開閉体９が図２に示すように球取入口部８を閉鎖するように閉じられた場合、開閉体９が前仕切壁６に連なる環状を形成し、球取入口部８が球を開閉体９および前仕切壁６の外側から前仕切壁６で囲まれた内部領域に取り込めないようになる。そして、障害突起７が前仕切壁６における仮想線Ｌ１：Ｌ２との間の外周面から径方向外側に山形に突出し、障害突起７の上面が前仕切壁６の外周面から径方向外側に行くにしたがって下り勾配になっている。このため、遊技領域３７を流下する球が前仕切壁６における開閉体９の側の上部から前仕切壁６の外周面に接触して下方に落下した場合、当該前仕切壁６の外周面に接触して落下する球は、前仕切壁６の外周面から障害突起７の上面に衝突する。これによって、前仕切壁６の外周面に接触して落下する球の速度が緩和されるという利点がある。
【００１５】
また、該障害突起７の上面が下り勾配になっているので、障害突起７が球から受ける衝撃が緩和されるという利点がある。障害突起７の上面に衝突した球は、障害突起７の上面から斜め下方に向けて遊技領域３７に放出された後、遊技領域３７をあちらこちらと飛び交うようになり、遊技領域３７での球の飛び交いによる遊技性に富むという利点がある。球取入口部８から前仕切壁６で囲まれた内部領域に取り込まれた球が、上下動する上球振分体１５および下球振分体２０の双方から左右方向に往復移動する当たり球取入部２１に取り込まれる可能性があり、遊技性に富むという利点がある。
【産業上の利用可能性】
【００１６】
障害突起７は、前仕切壁６の外周面から径方向外側に半円形に突出してもよい。
【図面の簡単な説明】
【００１７】
【図１】遊技盤に取り付けられた可変入賞装置の正面図（最良の形態）。
【図２】遊技盤に取り付けられた可変入賞装置の前側からの斜視図（最良の形態）。
【図３】パチンコ遊技機の正面図（従来）。
【符号の説明】
【００１８】
１  可変入賞装置、６  前仕切壁、７  障害突起、８  球取入口部、９  開閉体。
【図１】
2008036105.tif 000003
【図２】
2008036105.tif 000004
【図３】
2008036105.tif 000005